(57)【要約】【課題】漏洩伝送路の伝送損失を大きくすること無く放射する電波信号のレベルを高めることにより全体して無線通信領域を広げる。【解決手段】軸方向に対して所定の傾斜角度θで形成された複数のスロットｓ１と所定の傾斜角度（１８０°−θ）で形成された複数のスロットｓ２を交互に配置した、複数の漏洩伝送路１１-1〜１１-nを、この各漏洩伝送路に対して信号を分配する分配器１３に接続する。そして、各漏洩伝送路を、分配器側の１つ目のスロットの傾斜角度が揃うようにして並行に配置する。例えば、各漏洩伝送路の分配器側の１つ目のスロットをスロットｓ１に揃える。【選択図】      図１
2007049623.tif 000002
【特許請求の範囲】
【請求項１】
複数のスロットを有する漏洩伝送路を複数、この各漏洩伝送路に対して信号を分配する分配器に接続し、
前記各漏洩伝送路は、前記分配器側の１つ目のスロットの傾斜角度が揃うようにして並行に配置し、かつ、軸方向に対して１つ目のスロットの傾斜角度と同じ傾斜角度のスロットを複数形成したことを特徴とする漏洩伝送路アンテナ。
【請求項２】
各漏洩伝送路の複数のスロットは、軸方向に対してジグザグスロット配列型に形成したことを特徴とする請求項１記載の漏洩伝送路アンテナ。
【請求項３】
複数のスロットを有する第１、第２、第３の漏洩伝送路と、
前記第２、第３の漏洩伝送路に接続し、この各漏洩伝送路を切替えるルート切替器と、
前記第１の漏洩伝送路に直接接続するとともに、前記第２、第３の漏洩伝送路に前記ルート切替器を介して接続し、信号を前記第１の漏洩伝送路に分配するとともに前記第２、第３の漏洩伝送路に前記ルート切替器を介して択一的に分配する分配器を備え、
前記第１の漏洩伝送路は、前記分配器側の１つ目のスロットの傾斜角度と同じ傾斜角度のスロットを軸方向に複数形成し、前記第２の漏洩伝送路は、前記第１の漏洩伝送路の１つ目のスロットの傾斜角度に対して、前記分配器側の１つ目のスロットの傾斜角度が揃うようにして並行に配置し、前記第３の漏洩伝送路は、前記第１の漏洩伝送路の１つ目のスロットの傾斜角度に対して、前記分配器側の１つ目のスロットの傾斜角度が軸方向と直交する方向に対して略対称となるようにして並行に配置し、かつ、前記各漏洩伝送路は、軸方向に対して１つ目のスロットの傾斜角度と同じ傾斜角度のスロットを複数形成したことを特徴とする漏洩伝送路アンテナ。
【請求項４】
複数のスロットを有する第１、第２の漏洩伝送路と、前記各漏洩伝送路への信号ルートを択一的に切替えるルート切替器からなり、前記第１の漏洩伝送路は、前記分配器側の１つ目のスロットの傾斜角度と同じ傾斜角度のスロットを軸方向に複数形成し、前記第２の漏洩伝送路は、前記第１の漏洩伝送路の１つ目のスロットの傾斜角度に対して、前記分配器側の１つ目のスロットの傾斜角度が軸方向と直交する方向に対して略対称となるように形成するとともに軸方向に対して１つ目のスロットの傾斜角度と同じ傾斜角度のスロットを複数形成し、このスロット構成を持つ第１、第２の漏洩伝送路を並行に配置するとともに前記ルート切替器に接続して組を構成し、この組を複数組設け、
各組の各漏洩伝送路にそれぞれの組のルート切替器を介して分配器を接続し、前記分配器からの信号を組毎にルート切替器を介して第１、第２の漏洩伝送路に択一的に分配することを特徴とする漏洩伝送路アンテナ。
【発明の詳細な説明】
【技術分野】
【０００１】
本発明は、軸方向に対して所定の傾斜角度を持って形成された複数のスロットを有する漏洩伝送路を複数配置し、漏洩伝送路への信号を分配器により分配する漏洩伝送路アンテナに関する。
【背景技術】
【０００２】
従来、漏洩伝送路アンテナを使用した無線通信システムは、例えば、中継装置に同軸ケーブルを介して第１の漏洩同軸ケーブルの一端を接続し、この第１の漏洩同軸ケーブルの他端に同軸ケーブルを介して第２の漏洩同軸ケーブルの一端を接続し、その第２の漏洩同軸ケーブルの他端に同軸ケーブルを介してターミネータを接続し、各漏洩同軸ケーブルをアンテナとして機能させ、第１の漏洩同軸ケーブルの近傍に配置したデータ処理装置が無線送受信装置を使用し第１の漏洩同軸ケーブルを介して中継装置と無線通信を行い、第２の漏洩同軸ケーブルの近傍に配置したデータ処理装置が無線送受信装置を使用し第２の漏洩同軸ケーブルを介して中継装置と無線通信を行うものが知られている（例えば、特許文献１参照）。
【特許文献１】特開平５−８３２５８号公報（段落「００１３」、「００１４」、図３）
【発明の開示】
【発明が解決しようとする課題】
【０００３】
特許文献１記載のものは、データ処理装置が無線通信するときに使用する漏洩同軸ケーブルは常に１本であり、このため漏洩同軸ケーブルから放射される電波信号のレベルは低く、データ処理装置は漏洩同軸ケーブルの近傍でしか通信ができなかった。漏洩同軸ケーブルのスロットを大きくすれば放射される電波信号のレベルを高めることができるが、しかし、このようにすると伝送損失が大きくなるので漏洩同軸ケーブルを長く敷設することができず、無線通信領域が狭くなってしまう問題があった。
【０００４】
そこで、本発明は、漏洩伝送路の伝送損失を大きくすること無く放射する電波信号のレベルを高めることができ、全体して無線通信領域を広げることができる漏洩伝送路アンテナを提供する。
【課題を解決するための手段】
【０００５】
本発明は、複数のスロットを有する漏洩伝送路を複数、この各漏洩伝送路に対して信号を分配する分配器に接続し、各漏洩伝送路は、分配器側の１つ目のスロットの傾斜角度が揃うようにして並行に配置し、かつ、軸方向に対して１つ目のスロットの傾斜角度と同じ傾斜角度のスロットを複数形成した漏洩伝送路アンテナにある。
【発明の効果】
【０００６】
本発明によれば、漏洩伝送路の伝送損失を大きくすること無く放射する電波信号のレベルを高めることができ、全体して無線通信領域を広げることができる漏洩伝送路アンテナを提供できる。
【発明を実施するための最良の形態】
【０００７】
以下、本発明の実施の形態を、図面を参照して説明する。
【０００８】
（第１の実施の形態）
図１に示すように、軸方向に対して所定の傾斜角度θを持って形成された複数のスロットｓ１と、軸方向に対して所定の傾斜角度（１８０°−θ）を持って形成された複数のスロットｓ２を交互に配置したジグザグスロット配列型のｎ本の漏洩伝送路１１-1，１１-2，…，１１-nを互いに並行に配置している。
【０００９】
前記ｎ本の漏洩伝送路１１-1，１１-2，…，１１-nの一端を、それぞれコネクタ１２-1，１２-2，…，１２-nを介して分配器１３に接続している。前記ｎ本の漏洩伝送路１１-1，１１-2，…，１１-nの他端にはそれぞれ終端器１４-1，１４-2，…，１４-nが接続されている。前記分配器１３は基地局１５に接続し、この基地局１５からの信号を各漏洩伝送路１１-1，１１-2，…，１１-nに分配するようになっている。
【００１０】
前記ｎ本の漏洩伝送路１１-1，１１-2，…，１１-nは、前記分配器側の１つ目のスロットが全てスロットｓ１になるように揃えている。すなわち、分配器側の１つ目のスロットの傾斜角度をθで揃えている。しかも、ここでは各漏洩伝送路１１-1，１１-2，…，１１-nのスロットｓ１及びスロットｓ２が伝送路の軸方向の位置において略並ぶように揃えている。
【００１１】
このようにｎ本の漏洩伝送路１１-1，１１-2，…，１１-nを配置することで、各漏洩伝送路における分配器１２側の１つ目のスロットはスロットｓ１で、互いに傾斜角度がθで揃った状態になる。そして、スロットｓ１は伝送路の軸方向にスロットｓ２と交互に複数形成されている。このような配置によりスロットｓ１及びスロットｓ２を大きくせずに放射する電波信号のレベルを高めることができる。
【００１２】
すなわち、漏洩伝送路１１-1，１１-2，…，１１-nの個々の放射信号レベルは低いが、分配器側の１つ目のスロットの傾斜角度を揃えることで電波信号の放射信号レベルは合成されて高くなる。これにより、漏洩伝送路１１-1，１１-2，…，１１-nから離れた位置でも無線通信端末（図示せず）は漏洩伝送路１１-1，１１-2，…，１１-nを介して基地局１５と無線通信することができる。また、漏洩伝送路１１-1，１１-2，…，１１-nは必要以上にスロットｓ１，ｓ２を大きくする必要は無く、従って、伝送損失も大きくなることは無く、敷設距離を長くすることができる。これにより、全体して無線通信領域を広げることができる。
【００１３】
次に受信電界強度測定の実験結果について述べる。  
同じスロット形状の４本の漏洩伝送路Ｃ1，Ｃ2，Ｃ3，Ｃ4を用意し、この４本の漏洩伝送路Ｃ1，Ｃ2，Ｃ3，Ｃ4の中から任意の２本の組み合わせ、例えば、Ｃ1＋Ｃ2、Ｃ1＋Ｃ3、Ｃ1＋Ｃ4、Ｃ2＋Ｃ3、Ｃ2＋Ｃ4、Ｃ3＋Ｃ４の組み合わせで互いに並行に敷設して受信電界強度の測定を行った。
【００１４】
Ｃ1＋Ｃ2、Ｃ1＋Ｃ3、Ｃ1＋Ｃ4、Ｃ2＋Ｃ3、Ｃ2＋Ｃ4、Ｃ3＋Ｃ４の組み合わせで、互いに分配器側の１つ目のスロットの傾斜角度を揃えた状態で並行に敷設し、漏洩伝送路から１０ｍ離れた地点での受信電界強度の測定を行った結果、図２の三角点で示す測定値が得られた。すなわち、どの組み合わせも受信電界強度として−７０ｄＢｍ前後の値が得られた。
【００１５】
これに対し、Ｃ1＋Ｃ2、Ｃ1＋Ｃ3、Ｃ1＋Ｃ4、Ｃ2＋Ｃ3、Ｃ2＋Ｃ4、Ｃ3＋Ｃ４の組み合わせで、互いに分配器側の１つ目のスロットの傾斜角度が異なる状態で並行に敷設し、漏洩伝送路から１０ｍ離れた地点での受信電界強度の測定を行った結果、図２の四角点で示す測定値が得られた。すなわち、どの組み合わせも受信電界強度として−８０ｄＢｍ前後まで低下した結果となった。  
このように、分配器側の１つ目のスロットの傾斜角度が揃うようにして並行に敷設した状態と、分配器側の１つ目のスロットの傾斜角度が異なるようにして並行に敷設した状態とでは受信電界強度１０ｄＢｍ前後の差が生じることが分かった。
【００１６】
なお、この実施の形態では、ｎ本の漏洩伝送路１１-1，１１-2，…，１１-nの分配器側の１つ目のスロットがスロットｓ１になるように揃え、しかも、各漏洩伝送路のスロットｓ１及びスロットｓ２が伝送路の軸方向と直交する方向にも略並ぶように揃えた場合について述べたがこれに限定するものではない。例えば、図３の(a)及び(b)に示すように、ｎ本の漏洩伝送路１１-1，１１-2，…，１１-nの分配器側の１つ目のスロットがスロットｓ１になるように揃えても、伝送路の軸方向と直交する方向に対しては互いに位置がずれるように配置してもよい。
【００１７】
また、この実施の形態では、軸方向に対して所定の傾斜角度θを持って形成された複数のスロットｓ１と、軸方向に対して所定の傾斜角度（１８０°−θ）を持って形成された複数のスロットｓ２を交互に配置したｎ本の漏洩伝送路１１-1，１１-2，…，１１-nを配置した場合について述べたがこれに限定するものではない。例えば、図４に示すように、スロットｓ１あるいはスロットｓ２の何れか一方を所定の間隔で形成した片方向傾斜スロット配列型のｎ本の漏洩伝送路１１-11，１１-12，…を配置したものであってもよい。
【００１８】
（第２の実施の形態）
図５に示すように、軸方向に対して所定の傾斜角度（１８０°−θ）を持って形成された複数のスロットｓ２と、軸方向に対して所定の傾斜角度θを持って形成された複数のスロットｓ１を交互に配置したジグザグスロット配列型の第１、第２の漏洩伝送路２１-1、２１-2を互いに並行に配置している。
【００１９】
また、軸方向に対して所定の傾斜角度θを持って形成された複数のスロットｓ１と、軸方向に対して所定の傾斜角度（１８０°−θ）を持って形成された複数のスロットｓ２を交互に配置したジグザグスロット配列型の第３の漏洩伝送路２１-3を、前記第１、第２の漏洩伝送路２１-1、２１-2に対して並行に配置している。
【００２０】
そして、前記第１の漏洩伝送路２１-1の一端を、コネクタ２２-1を介して分配器２３に直接接続し、前記第２の漏洩伝送路２１-2の一端を、コネクタ２２-2を介してルート切替器２４の第１接点２４ａ、コモン接点２４ｃを介して前記分配器２３に接続し、前記第３の漏洩伝送路２１-3の一端を、コネクタ２２-3を介して前記ルート切替器２４の第２接点２４ｂ、コモン接点２４ｃを介して前記分配器２３に接続している。
【００２１】
前記第１の漏洩伝送路２１-1は前記分配器２３側の１つ目のスロットが傾斜角度θのスロットｓ１であり、前記第２の漏洩伝送路２１-2も前記分配器２３側の１つ目のスロットが傾斜角度θのスロットｓ１である。すなわち、第１、第２の漏洩伝送路２１-1、２１-2は１つ目のスロットの傾斜角度が揃うようにして配置している。
【００２２】
前記第３の漏洩伝送路２１-3は、第１の漏洩伝送路２１-1の１つ目のスロットｓ１の傾斜角度θに対して、前記分配器２３側の１つ目のスロットの傾斜角度が軸方向と直交する方向に対して略対称となるように配置している。すなわち、分配器２３側の１つ目を傾斜角度が（１８０°−θ）のスロットｓ２にしている。
【００２３】
前記分配器２３は基地局２５に接続し、この基地局２５からの信号を分配して出力するようになっている。前記基地局２５は無線通信端末（図示せず）と通信を行うときに前記ルート切替器２４を切替え制御するようになっている。前記各漏洩伝送路２１-1，２１-2，２１-3の他端には終端器２６-1，２６-2，２６-3がそれぞれ接続されている。
【００２４】
このような構成においては、基地局２５が漏洩伝送路２１-1，２１-2，２１-3から離れた位置にある無線通信端末（図示せず）と通信を行うときには、ルート切替器２４を制御してコモン接点２４ｃを第１接点２４ａに接続させる。この状態で基地局２５は分配器２３を介して信号を第１の漏洩伝送路２１-1に送信するとともに分配器２３及びルート切替器２４を介して信号を第２の漏洩伝送路２１-2に送信する。
【００２５】
これにより、分配器側の１つ目がスロットｓ１で互いの傾斜角度がθで揃うように配置している第１、第２の漏洩伝送路２１-1，２１-2から電波が放射されるので、電波信号の放射レベルは合成されて高くなる。こうして、離れている場所にある無線通信端末（図示せず）と確実な通信ができる。
【００２６】
また、基地局２５が漏洩伝送路２１-1，２１-2，２１-3の近傍にある無線通信端末（図示せず）と通信を行うときには、ルート切替器２４を制御してコモン接点２４ｃを第２接点２４ｂに接続させる。この状態で基地局２５は分配器２３を介して信号を第１の漏洩伝送路２１-1に送信するとともに分配器２３及びルート切替器２４を介して信号を第３の漏洩伝送路２１-3に送信する。
【００２７】
このときには、分配器側の１つ目がスロットｓ１で軸方向にスロットｓ１とスロットｓ２が交互に形成された第１の漏洩伝送路２１-1と、分配器側の１つ目がスロットｓ２で軸方向にスロットｓ１とスロットｓ２が交互に形成された第３の漏洩伝送路２１-3から電波が放射されるので、電波信号の放射レベルは高くなることは無い。しかし、無線通信端末（図示せず）は近傍に配置されているので、基地局２５は第１、第３の漏洩伝送路２１-1，２１-3を介して無線通信端末と確実な通信ができる。
【００２８】
このように、無線通信端末（図示せず）の配置位置に応じて電波信号の放射レベルを切替えることができるので、アンテナとして電波信号の放射レベルを変更する場合に漏洩伝送路を取り替えるような面倒な作業を伴うことなく簡単に対処でき、汎用性を向上することができる。また、この実施の形態においても漏洩伝送路の伝送損失を大きくすること無く放射する電波信号のレベルを高めることができ、全体して無線通信領域を広げることができる。
【００２９】
（第３の実施の形態）
図６に示すように、軸方向に対して所定の傾斜角度θを持って形成された複数のスロットｓ１及び軸方向に対して所定の傾斜角度（１８０°−θ）を持って形成された複数のスロットｓ２を交互に配置したジグザグスロット配列型の第１の漏洩伝送路３１-1と、軸方向に対して所定の傾斜角度（１８０°−θ）を持って形成された複数のスロットｓ２及び軸方向に対して所定の傾斜角度θを持って形成された複数のスロットｓ１を交互に配置したジグザグスロット配列型の第２の漏洩伝送路３２-1を並行に配置している。
【００３０】
そして、前記第１の漏洩伝送路３１-1の一端を、コネクタ３３-1を介してルート切替器３５-1の第１接点３５ａ、コモン接点３５ｃを介して分配器３６に接続し、前記第２の漏洩伝送路３２-1の一端を、コネクタ３４-1を介して前記ルート切替器３５-1の第２接点３５ｂ、コモン接点３５ｃを介して前記分配器３６に接続している。前記各漏洩伝送路３１-1，３２-1の他端には終端器３７-1，３８-1がそれぞれ接続されている。
【００３１】
前記第１の漏洩伝送路３１-1の前記分配器３６側の１つ目のスロットは、傾斜角度がθのスロットｓ１になっている。前記第２の漏洩伝送路３２-1の前記分配器３６側の１つ目のスロットは、傾斜角度が（１８０°−θ）のスロットｓ２になっている。従って、全体としても第１の漏洩伝送路３１-1と第２の漏洩伝送路３２-1とは、互いのスロットの傾斜角度が軸方向の位置に対して異なるようになる。
【００３２】
前記第１の漏洩伝送路３１-1、第２の漏洩伝送路３２-1、コネクタ３３-1，３４-1、ルート切替器３５-1及び終端器３７-1，３８-1は１つの組を構成している。  
同様に２組目を、第１の漏洩伝送路３１-2、第２の漏洩伝送路３２-2、コネクタ３３-2，３４-2、ルート切替器３５-2及び終端器３７-2，３８-2を１組目と同様に接続して構成し、これをｎ組設けている。なお、ｎ組目は、第１の漏洩伝送路３１-n、第２の漏洩伝送路３２-n、コネクタ３３-n，３４-n、ルート切替器３５-n及び終端器３７-n，３８-nを１組目と同様に接続して構成される。
【００３３】
そして、各組の第１の漏洩伝送路３１-1〜３１-nは、その分配器３６側の１つ目のスロットが全てスロットｓ１になるように揃えている。すなわち、分配器側の１つ目のスロットの傾斜角度をθで揃うように配置している。また、各組の第２の漏洩伝送路３２-1〜３２-nは、その分配器３６側の１つ目のスロットが全てスロットｓ２になるように揃えている。すなわち、分配器側の1つ目のスロットの傾斜角度を（１８０-θ）で揃うように配置している。
【００３４】
前記分配器３６は基地局３９に接続し、この基地局３９からの信号を各組に分配して出力するようになっている。前記基地局３９は無線通信端末（図示せず）と無線通信するときに前記各ルート切替器３５-1〜３５-nを切替え制御するようになっている。
【００３５】
このような構成においては、基地局３９が漏洩伝送路から離れた位置にある無線通信端末（図示せず）と通信を行うときには、ルート切替器３５-1〜３５-nを切替え制御して全てのルート切替器のコモン接点３５ｃを第１接点３５ａあるいは第２接点３５ｂに接続して、各組の漏洩伝送路において分配器３６側の１つ目のスロットの傾斜角度が互いに揃うようにする。例えば、全てのルート切替器３５-1〜３５-nのコモン接点３５ｃを第１接点３５ａに接続すると、各組において第１の漏洩伝送路３１-1〜３１-nが選択される。これにより、各組において漏洩伝送路の分配器３６側の１つ目のスロットの傾斜角度が互いに揃うことになる。
【００３６】
この状態で基地局３９は分配器３６及びルート切替器３５-1〜３５-nを介して信号を各組の第１の漏洩伝送路３１-1〜３１-nに送信する。これにより、分配器側の１つ目がスロットｓ１で互いの傾斜角度がθで揃うように配置している各組の第１の漏洩伝送路３１-1〜３１-nから電波が放射されるので、電波信号の放射レベルは合成されて高くなる。こうして、離れている場所にある無線通信端末（図示せず）と確実な通信ができる。
【００３７】
また、基地局３９が、例えば、漏洩伝送路の近傍にある無線通信端末（図示せず）と通信を行うときには、ルート切替器３５-1〜３５-nのうちの、半分のルート切替器のコモン接点３５ｃを第１接点３５ａあるいは第２接点３５ｂに接続して、ｎ／２本の漏洩伝送路の分配器３６側の１つ目のスロットの傾斜角度が揃うようにする。こうして、ｎ本の漏洩伝送路から放射される電波信号のレベルは低いが無線通信端末が近傍にあるので、無線通信端末は漏洩伝送路を介して基地局３９と無線通信ができる。
【００３８】
また、基地局３９が漏洩伝送路からそれほど離れていない位置にある無線通信端末（図示せず）と通信を行うときには、ルート切替器３５-1〜３５-nのうちの、いくつかのルート切替器のコモン接点３５ｃを第１接点３５ａあるいは第２接点３５ｂに接続して、何本かの漏洩伝送路の分配器３６側の１つ目のスロットの傾斜角度が揃うようにする。例えば、３つのルート切替器のコモン接点３５ｃを第１接点３５ａに接続すると、３本の第１の漏洩伝送路が選択される。
【００３９】
この状態で基地局３９は分配器３６及びルート切替器を介して信号を３本の第１の漏洩伝送路と、ｎ−３本の第２の漏洩伝送路に送信する。これにより、漏洩伝送路から放射される電波信号の放射レベルはある程度合成されて高くなる。  
こうして、近傍とは言えないがそれほど離れていない位置にある無線通信端末（図示せず）と確実な通信ができる。
【００４０】
このように、無線通信端末（図示せず）の配置位置に応じて電波信号の放射レベルを複数段階に切替えることができるので、アンテナとして電波信号の放射レベルを変更する場合に漏洩伝送路を取り替えるような面倒な作業を伴うことなく対処でき、汎用性を向上することができる。また、この実施の形態においても漏洩伝送路の伝送損失を大きくすること無く放射する電波信号のレベルを高めることができ、全体して無線通信領域を広げることができる。
【００４１】
次に受信電界強度測定の実験結果について述べる。  
例えば、第１の漏洩伝送路３１、第２の漏洩伝送路３２、コネクタ３３，３４、ルート切替器３５及び終端器３７，３８で構成される組を４組使用した漏洩伝送路アンテナを形成し、そのアンテナの部位から１０ｍ離れた地点での受信電界強度を測定した。その結果、図７に実験例Ａ、実験例Ｂ、実験例Ｃに示す結果が得られた。
【００４２】
実験例Ａは、４組全ての漏洩伝送路における分配器側の１つ目のスロットの傾斜角度を揃えたものであり、４組において選択する漏洩伝送路を全て第１の漏洩伝送路３１、あるいは第２の漏洩伝送路３２にしたものである。この場合は、約−６８ｄＢｍという高い受信電界強度が得られた。
【００４３】
実験例Ｂは４組のうち、３組の漏洩伝送路における分配器側の１つ目のスロットの傾斜角度を揃えたものである。この場合は、約−７４ｄＢｍという受信電界強度が得られた。
【００４４】
実験例Ｃは４組のうち、２組、つまり半分の漏洩伝送路における分配器側の１つ目のスロットの傾斜角度を揃えたものである。この場合は、約−８２ｄＢｍという受信電界強度が得られた。
【００４５】
このように、各組の漏洩伝送路を選択する場合に、分配器側の１つ目のスロットの傾斜角度が同じ漏洩伝送路の本数を変化させることで、電波信号の放射レベルを段階的に変化させることができ、基地局３９は漏洩伝送路アンテナと無線通信端末（図示せず）との距離に応じて適切な放射レベルで無線通信ができる。
【００４６】
なお、前述した各実施の形態では、各漏洩伝送路においてスロットｓ１の傾斜角度をθとし、スロットｓ２の傾斜角度を（１８０°−θ）としてそれぞれ一致させるようにしたが傾斜角度θ或いは傾斜角度（１８０°−θ）は互いに多少異なっても電波信号の放射レベルを合成によって高められる許容範囲内であれば問題ない。
【図面の簡単な説明】
【００４７】
【図１】本発明の第１の実施の形態に係る漏洩伝送路アンテナの構成を示す図。
【図２】同実施の形態における受信電界強度測定の実験結果を示すグラフ。
【図３】同実施の形態における漏洩伝送路の他の配置例を示す図。
【図４】同実施の形態で使用する漏洩伝送路の他のスロット配列例を示す図。
【図５】本発明の第２の実施の形態に係る漏洩伝送路アンテナの構成を示す図。
【図６】本発明の第３の実施の形態に係る漏洩伝送路アンテナの構成を示す図。
【図７】同実施の形態における受信電界強度測定の実験結果を示すグラフ。
【符号の説明】
【００４８】
１１-1〜１１-n…漏洩伝送路、ｓ１，ｓ２…スロット、１３…分配器、１４-1〜１４-n…終端器。
【図１】
2007049623.tif 000003
【図２】
2007049623.tif 000004
【図３】
2007049623.tif 000005
【図４】
2007049623.tif 000006
【図５】
2007049623.tif 000007
【図６】
2007049623.tif 000008
【図７】
2007049623.tif 000009